(57)【要約】      （修正有）【課題】両方向の照明が可能で、かつ、外観を阻害しなくて効率的な両方向照明がなされることができる蛍光灯型ＬＥＤ照明器具を提供する【解決手段】本発明の蛍光灯型ＬＥＤ照明器具は、両端部に端子キャップが結合された円筒形の光拡散カバー１０と、前記光拡散カバー１０の内部の両側に備えられて相互反対方向に発光する一対のＬＥＤモジュール３０を含み、かつ、一対のＬＥＤモジュール３０は、回路基板３２に実装されたＬＥＤ３３の光が相互行き違うように発光角度が傾斜することを特徴とする。【選択図】図２
2019016464.tif 000002
【特許請求の範囲】
【請求項１】
両端部に端子キャップが結合された円筒形の光拡散カバーと、
前記光拡散カバーの内部の両側に備えられて相互反対方向に発光する一対のＬＥＤモジュールと、を含み、かつ、
前記一対のＬＥＤモジュールは光が相互行き違うように発光角度が傾斜していることを特徴とする、蛍光灯型ＬＥＤ照明器具。
【請求項２】
前記ＬＥＤモジュールは、
一定角度に傾斜した傾斜部を有しながら、前記透光カバーの内側に形成されたホルダーに設けられる放熱フレームと、
前記傾斜部に安着して放熱フレームに傾斜するように結合される回路基板と、
前記回路基板に実装されるＬＥＤと、
を含むことを特徴とする、請求項１に記載の蛍光灯型ＬＥＤ照明器具。
【請求項３】
両端部に端子キャップが結合された円筒形の光拡散カバーと、
前記光拡散カバーの内部の両側に備えられて相互反対方向に発光する一対のＬＥＤモジュールと、を含み、かつ、
前記一対のＬＥＤモジュールは光が相互行き違うように光拡散カバーの中心線から両側に一定距離偏心されていることを特徴とする、蛍光灯型ＬＥＤ照明器具。
【発明の詳細な説明】
【技術分野】
【０００１】
本発明は蛍光灯型ＬＥＤ照明器具に関し、特に両方向の照明が可能な蛍光灯型ＬＥＤ照明器具に関する。
【背景技術】
【０００２】
従来は看板の照明のために蛍光灯が主に使われたが、電力消耗が大きく、寿命が短く、効率がよくない点などの多様な短所があって、最近にはＬＥＤを用いた蛍光灯型ＬＥＤ照明器具に取り替えられている。
【０００３】
しかしながら、従来の蛍光灯型ＬＥＤ照明器具は光拡散カバーの内部一側にＬＥＤモジュールが配置された構成であって、照明が一方向のみに集中されるので両方向の照明が要求される看板には効率的な使用が困難であるという短所があった。
【０００４】
ここに、特許文献１には両面に照明が可能なＬＥＤ蛍光灯が開示されたが、開示された従来技術は図６に示されたように、光拡散カバー１の中心部にＬＥＤモジュール２が配置されながら回路基板３の両面に光源であるＬＥＤ４が配列される構成からなって、両方向に照明が可能な特徴がある。
【０００５】
ところで、前記従来技術の場合、ＬＥＤモジュール２が光拡散カバー１の中心部に配置されており光源であるＬＥＤ４と光拡散カバー１との間の間隔が相対的に短いため、直進性の強いＬＥＤの特性によって外部から見る時光が集中されるＬＥＤ４の部分が点（ｄｏｔ）形態に見えるにつれて、照明に従う外観を格段に低下させて見易くなく、光集中による眩しさを引き起こす問題点がある。
【先行技術文献】
【特許文献】
【０００６】
【特許文献１】韓国登録特許第１０−１５７３０３２号公報
【発明の概要】
【発明が解決しようとする課題】
【０００７】
本発明は従来の問題点を解決するために提案されるものであって、本発明の目的は両方向の照明が可能で、かつ外観を阻害しなくて効率的な両方向照明がなされることができる蛍光灯型ＬＥＤ照明器具を提供することにある。
【課題を解決するための手段】
【０００８】
前記目的を達成するための本発明の課題解決手段は、両端部に端子キャップが結合された円筒形の光拡散カバーと、前記光拡散カバーの内部の両側に備えられて相互反対方向に発光する一対のＬＥＤモジュールを含み、かつ前記一対のＬＥＤモジュールは光が相互行き違うように発光角度が傾斜することを特徴とする蛍光灯型ＬＥＤ照明器具が開示される。
【０００９】
ここで、前記ＬＥＤモジュールは、一定角度に傾斜した傾斜部を有しながら、前記透光カバーの内側に形成されたホルダーに設けられる放熱フレームと、前記傾斜部に安着して放熱フレームに傾斜するように結合される回路基板と、前記回路基板に実装されるＬＥＤを含むことができる。
【００１０】
また、両端部に端子キャップが結合された円筒形の光拡散カバーと、前記光拡散カバーの内部の両側に備えられて相互反対方向に発光する一対のＬＥＤモジュールを含み、かつ前記一対のＬＥＤモジュールは光が相互行き違うように光拡散カバーの中心線から両側に一定距離偏心されることを特徴とする蛍光灯型ＬＥＤ照明器具も開示される。
【発明の効果】
【００１１】
本発明に従う蛍光灯型ＬＥＤ照明器具によれば、ＬＥＤモジュールの一対が光拡散カバーの内部の両側に備えられて両方向に発光し、かつ光の相互間干渉が最小化するように具現されているので、照明に従う外観の低下及び照明効率の低下を防止しながら効率的に両方向照明が可能な技術的効果がある。
【図面の簡単な説明】
【００１２】
【図１】本発明の蛍光灯型ＬＥＤ照明器具の外観を概略的に示した図である。
【図２】本発明の第１実施形態であって、図１のＡ−Ａ線に従う断面構成を示した図である。
【図３】本発明の第１実施形態に従う両方向の発光を示した図である。
【図４】本発明の第２実施形態であって、図１のＡ−Ａ線に従う断面構成を示した図である。
【図５】本発明の第２実施形態に従う両方向の発光を示した図である。
【図６】従来技術に従うＬＥＤ蛍光灯の概略的な構成を示した図である。
【発明を実施するための形態】
【００１３】
以下、添付した図面を参照して本発明に従う蛍光灯型ＬＥＤ照明器具に対する好ましい実施形態を詳細に説明する。
【００１４】
本実施形態は当業界で平均的な知識を有する者に本発明をより完全に説明するために提供されるものであって、添付した図面での要素の形状、サイズ、要素間の間隔などはより明確な説明を強調するために縮小または誇張して表現できる。
【００１５】
また、公知または周知技術のように当該技術分野の通常の技術者に自明な事項として本発明の技術的特徴を不要に曖昧にすることがあると判断される場合には、その詳細な説明を省略する。
【００１６】
本発明に従う蛍光灯型ＬＥＤ照明器具は、両方向照明が可能で、かつ外観及び照明効率を低下させないように具現された特徴がある。
【００１７】
このために、本発明の第１実施形態が図１から図３に示されており、前記図面に示したように、本発明の第１実施形態に従う蛍光灯型ＬＥＤ照明器具は、光拡散カバー１０、端子キャップ２０、及びＬＥＤモジュール３０を含む。
【００１８】
前記光拡散カバー１０は円形断面を有しながら一定の長さに延長された円筒形からなる。
【００１９】
また、光拡散カバー１０はＬＥＤモジュール３０の光を拡散及び透過する材質からなり、外部異質物や衝撃などからＬＥＤモジュール３０を保護する。
【００２０】
前記端子キャップ２０は光拡散カバー１０の両端に結合されて光拡散カバー１０の開放された両端部を仕上げる。
【００２１】
このような端子キャップ２０には電源供給用ソケット（図示せず）に接続しながらＬＥＤモジュール３０と電気的に連結される接続端子２１が備えられる。
【００２２】
前記ＬＥＤモジュール３０は光を発散する光源として機能し、放熱フレーム３１、回路基板３２、及びＬＥＤ３３を含む。
【００２３】
前記放熱フレーム３１は、前記回路基板３２を支持しながら放熱機能を遂行するが、光拡散カバー１０に対応して一定長さ延長される形態を有しながら光拡散カバー１０の内側に形成されたホルダー１１に挟まれることによって、光拡散カバー１０の内周面の一側に設けられる。
【００２４】
このような放熱フレーム３１には図２に示したように、後述する回路基板３２を傾斜して支持することができるように一定角度（θ）に傾斜した傾斜部３１ａが形成される特徴がある。
【００２５】
前記回路基板３２は一定長さを有するストリップ形態からなり、前記放熱フレーム３１の傾斜部３１ａに安着して放熱フレーム３１に結合される。
【００２６】
前記ＬＥＤ３３は回路基板３２に実装され、ストリップ形態の回路基板３２に沿って複数個が配列される。
【００２７】
ここで、前記回路基板３２は傾斜部３１ａに安着して放熱フレーム３２に結合されるので、結合された回路基板３２及び回路基板３２に実装されたＬＥＤ３３も傾斜部３１ａと同一の角度（θ）に傾斜するようになる。
【００２８】
前記した構成を有するＬＥＤモジュール３０は、図２のように一対からなり、相互反対方向に発光するように光拡散カバー１０の内部両側に備えられる。
【００２９】
したがって、相互反対方向に発光する一対のＬＥＤモジュール３０により両方向の照明が可能であると共に、一対のＬＥＤモジュール３０が光拡散カバー１０の中央でなく両側に備えられることによって、それぞれのＬＥＤ３３と光拡散カバー１０との間の間隔が最大化されるため、従来のように光集中によって外観が低下する問題点が解消される。
【００３０】
また、一対のＬＥＤモジュール３０が相互反対方向に発光するので、直射光が相互干渉されれば陰影が生じて、光量が減少することがあるが、前記の構成のように一対のＬＥＤモジュール３０のそれぞれのＬＥＤ３３が傾斜するように配列され、それによって図３に示したように、ＬＥＤ３３の発光角度が傾斜しながら相互干渉されず、行き違うようになるので、陰影の発生や光量の低下を最小化させて照明効率の低下も防止できるようになる。
【００３１】
一方、図４から図５には本発明の第２実施形態が例示されているが、第２実施形態は前述した第１実施形態と全体的な構成は同一で、かつ一対のＬＥＤモジュール３０の構成のみに差がある。
【００３２】
したがって、以下の第２実施形態を説明するに当たっては、前述した第１実施形態と同一の構成に対しては同一の符号を使用し、重複説明は省略する。
【００３３】
本第２実施形態では、一対のＬＥＤモジュール３０が偏心されるように設置されて相互間の光が行き違うようにする特徴がある。
【００３４】
即ち、図４に示したように、放熱フレーム３１に傾斜部３１ａが形成される代わり、一対のＬＥＤモジュール３０が光拡散カバー１０の中心を通る仮想の中心線（Ｃ−Ｃ）から両側に一定距離（ｄ）偏心されるように設けられるものである。
【００３５】
前記のような構成によれば、一対のＬＥＤモジュール３０が相変らず光拡散カバー１０の両側に位置してＬＥＤ３３と光拡散カバー１０との間の間隔を十分に確保することができると共に、中心線（Ｃ−Ｃ）から相互反対に偏心されて離隔した位置にあるようになることによって、図５に示したようにＬＥＤ３３の直射光が相互干渉されず、行き違うようになるので、前述した第１実施形態と同一に陰影の発生や光量の低下を最小化させて照明効率の低下も防止できるようになる。
【００３６】
以上、本発明の好ましい実施形態を詳細に説明したが、本発明の技術的範囲は前述した実施形態及び図面に記載された内容に限定されるものではなく、該当技術分野の通常の知識を有する者により修正または変更された等価の構成は本発明の技術的思想の範囲を逸脱しないことはいうまでもない。
【符号の説明】
【００３７】
１０    光拡散カバー
１１    ホルダー
２０    端子キャップ
２１    接続端子
３０    ＬＥＤモジュール
３１    放熱フレーム
３２    回路基板
３３    ＬＥＤ
【図１】
2019016464.tif 000003
【図２】
2019016464.tif 000004
【図３】
2019016464.tif 000005
【図４】
2019016464.tif 000006
【図５】
2019016464.tif 000007
【図６】
2019016464.tif 000008